(57)【要約】【課題】使用状況に応じた省電力制御を行うことができるようにする。【解決手段】Ａ／Ｖ出力制御部１５が、Ａ／Ｖデコーダ１４より供給される映像信号をディスプレイ１７に表示している場合、一定時間操作されなかったとき、または一定時間映像信号が供給されなかったとき、省電力制御が行われる。一方、Ａ／Ｖ出力制御部１５が、外部接続機器１００から映像端子２４を介して入力された映像信号をディスプレイ１７に出力している場合、一定時間映像が変化しなかったとき、または一定時間映像信号が供給されなかったとき、省電力制御が行われる。【選択図】図１
2008300918.tif 000002
【特許請求の範囲】
【請求項１】
映像を表示する表示装置であって、
前記映像を所定の表示部に表示させる表示手段と、
所定の操作に応じた操作信号を出力する操作手段と、
前記表示部に表示されている前記映像の種別を判別する映像種別判別手段と、
前記操作手段による操作の有無を判別する操作有無判別手段と、
前記映像が変化しているか否かを検出する映像変化有無検出手段と、
前記映像に対応する映像信号が前記表示部に供給されているか否かを検出する映像信号有無検出手段と、
前記映像が第１の種別の映像である場合、前記映像変化有無検出手段によって前記映像が無変化であると判定されたとき、および前記映像信号有無検出手段によって前記映像信号が前記表示部に供給されていないと判定されたとき、前記映像の前記表示部による表示を停止させ、前記映像が第２の種別の映像である場合、前記映像変化有無検出手段によって前記映像が無変化であると判定されたとき、および前記映像信号有無検出手段によって前記映像信号が前記表示部に供給されていないと判定されたとき、前記映像の前記表示部による表示を停止させるように制御する制御手段と
を備えることを特徴とする表示装置。
【請求項２】
前記表示部が複数の映像を同時に表示している場合、前記制御手段は、各映像毎に、表示を停止させるように制御する
ことを特徴とする請求項１に記載の表示装置。
【請求項３】
映像を表示する表示装置を制御する表示制御方法であって、
前記映像を表示部に表示させる表示ステップと、
所定の操作に応じた操作信号を出力する操作ステップと、
前記表示部に表示されている前記映像の種別を判別する映像種別判別ステップと、
前記操作ステップにおける操作の有無を判別する操作有無判別ステップと、
前記映像が変化しているか否かを検出する映像変化有無検出ステップと、
前記映像に対応する映像信号が前記表示部に供給されているか否かを検出する映像信号有無検出ステップと、
前記映像が第１の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させ、前記映像が第２の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させるように制御する制御ステップと
を備えることを特徴とする表示制御方法。
【請求項４】
前記表示部が複数の映像を同時に表示している場合、前記制御ステップにおいては、各映像毎に、表示を停止させるように制御される
ことを特徴とする請求項３に記載の表示制御方法。
【請求項５】
映像を表示する表示装置を制御する表示制御プログラムであって、
前記映像を表示部に表示させる表示ステップと、
所定の操作に応じた操作信号を出力する操作ステップと、
前記表示部に表示されている前記映像の種別を判別する映像種別判別ステップと、
前記操作ステップにおける操作の有無を判別する操作有無判別ステップと、
前記映像が変化しているか否かを検出する映像変化有無検出ステップと、
前記映像に対応する映像信号が前記表示部に供給されているか否かを検出する映像信号有無検出ステップと、
前記映像が第１の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させ、前記映像が第２の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させるように制御する制御ステップとを前記表示装置に実行させる
ことを特徴とする表示制御プログラム。
【請求項６】
前記表示部が複数の映像を同時に表示している場合、前記制御ステップにおいては、各映像毎に、表示を停止させるように制御される
ことを特徴とする請求項５に記載の表示制御プログラム。
【発明の詳細な説明】
【技術分野】
【０００１】
本発明は表示装置、表示制御方法及び、表示制御プログラムに関し、特に、所定の条件を満たす場合に自動的に電源の供給を停止して消費電力を節約する表示装置、表示制御方法及び、表示制御プログラムに関するものである。
【背景技術】
【０００２】
従来、例えば、電源をオンさせたまま無操作状態が一定時間継続されているか否かに応じて、電源の供給・停止を制御するようにしたものがある（例えば、特許文献１参照）。
また、受信状態に基づいて電源の供給・停止を制御するようにしたものがある（例えば、特許文献２参照）。
また、映像無変化状態が一定時間継続されたか否かに応じて、電源の供給・停止を制御するようにしたものもある（例えば、特許文献３参照）。
【特許文献１】特開２０００−３６１４３号公報
【特許文献２】特開平５−９１４８７号公報
【特許文献３】特開平３−１２１５２８号公報
【発明の開示】
【発明が解決しようとする課題】
【０００３】
しかしながら、操作状態を検出して電源の供給・停止を制御する場合、長時間視聴していても無操作の状態が続くと、省電力モードになってしまうことがある。無操作の状態であっても、ユーザは映像を長時間視聴している場合があり、この場合、ユーザは自動的に電源オフになることを望まないにもかかわらず、省電力モードになってしまうという問題があった。
また、受信状態を利用して電源の供給・停止を制御する場合、放送が終了しても、受信状態が継続していると、省電力モードになることはないという問題があった。また、受信はしているが映像自体になんらかの問題が生じている場合には対応できないという問題があった。
また、映像状態を利用して電源の供給・停止を制御する場合、静止画が常に送られるような放送を長時間視聴していると、省電力モードになってしまう。この場合、ユーザは、自動的に電源オフになることを望まないにもかかわらず、省電力モードになってしまうという問題があった。
本発明はこのような状況に鑑みてなされたものであり、上記問題点を解決できる表示装置を提供することを目的とする。
【課題を解決するための手段】
【０００４】
請求項１に記載の表示装置は、映像を表示する表示装置であって、前記映像を所定の表示部に表示させる表示手段と、所定の操作に応じた操作信号を出力する操作手段と、前記表示部に表示されている前記映像の種別を判別する映像種別判別手段と、前記操作手段による操作の有無を判別する操作有無判別手段と、前記映像が変化しているか否かを検出する映像変化有無検出手段と、前記映像に対応する映像信号が前記表示部に供給されているか否かを検出する映像信号有無検出手段と、前記映像が第１の種別の映像である場合、前記映像変化有無検出手段によって前記映像が無変化であると判定されたとき、および前記映像信号有無検出手段によって前記映像信号が前記表示部に供給されていないと判定されたとき、前記映像の前記表示部による表示を停止させ、前記映像が第２の種別の映像である場合、前記映像変化有無検出手段によって前記映像が無変化であると判定されたとき、および前記映像信号有無検出手段によって前記映像信号が前記表示部に供給されていないと判定されたとき、前記映像の前記表示部による表示を停止させるように制御する制御手段とを備えることを特徴とする。
また、前記表示部が複数の映像を同時に表示している場合、前記制御手段は、各映像毎に、表示を停止させるように制御するようにすることができる。
請求項３に記載の表示制御方法は、映像を表示する表示装置を制御する表示制御方法であって、前記映像を表示部に表示させる表示ステップと、所定の操作に応じた操作信号を出力する操作ステップと、前記表示部に表示されている前記映像の種別を判別する映像種別判別ステップと、前記操作ステップにおける操作の有無を判別する操作有無判別ステップと、前記映像が変化しているか否かを検出する映像変化有無検出ステップと、前記映像に対応する映像信号が前記表示部に供給されているか否かを検出する映像信号有無検出ステップと、前記映像が第１の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させ、前記映像が第２の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させるように制御する制御ステップとを備えることを特徴とする。
また、前記表示部が複数の映像を同時に表示している場合、前記制御ステップにおいては、各映像毎に、表示を停止させるように制御されるようにすることができる。
請求項５に記載の表示制御プログラムは、映像を表示する表示装置を制御する表示制御プログラムであって、前記映像を表示部に表示させる表示ステップと、所定の操作に応じた操作信号を出力する操作ステップと、前記表示部に表示されている前記映像の種別を判別する映像種別判別ステップと、前記操作ステップにおける操作の有無を判別する操作有無判別ステップと、前記映像が変化しているか否かを検出する映像変化有無検出ステップと、前記映像に対応する映像信号が前記表示部に供給されているか否かを検出する映像信号有無検出ステップと、前記映像が第１の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させ、前記映像が第２の種別の映像である場合、前記映像変化有無検出ステップにおいて前記映像が無変化であると判定されたとき、および前記映像信号有無検出ステップにおいて前記映像信号が前記表示部に供給されていないと判定されたとき、前記映像の前記表示部による表示を停止させるように制御する制御ステップとを前記表示装置に実行させることを特徴とする。
また、前記表示部が複数の映像を同時に表示している場合、前記制御ステップにおいては、各映像毎に、表示を停止させるように制御されるようにすることができる。
【発明の効果】
【０００５】
本発明の表示装置によれば、現在表示されている映像の種別に応じて所定の省電力制御が柔軟かつ的確なタイミングで行われるようにすることができる。
【発明を実施するための最良の形態】
【０００６】
図１は、本発明が適用されるテレビジョン受像機の一実施の形態の構成例を示すブロック図である。同図に示すように、本発明の一実施の形態としてのテレビジョン受像機１は、アンテナ１１と、アンテナ１１から供給される受信信号から所定のチャンネルを選局し、復調処理を行うチューナ（Tuner）および復調部１２と、チューナおよび復調部１２によって選局され、復調されたデジタルの受信データを構成する映像音声データを後述するＡ／Ｖデコーダ１４に供給するとともに、ＥＰＧ（Electronic Program Guide）（電子番組ガイド）をシステムコントローラ１８に供給するデマルチプレクサ（TS-Demux）１３と、デマルチプレクサ１３より供給された映像音声データをデコードし、後述するＡ／Ｖ（Audio/Visual）出力制御部１５に供給するＡ／Ｖデコーダ１４と、Ａ／Ｖデコーダ１４から供給された映像音声データのうち、音声データに対応する音声信号を後述するスピーカ１６に出力するとともに、映像データに対応する映像表示信号を後述するディスプレイ１７に供給するＡ／Ｖ出力制御部１５と、Ａ／Ｖ出力制御部１５より供給された音声信号に対応する音声を出力するスピーカ１６と、Ａ／Ｖ出力制御部１５より供給された映像表示信号に対応する映像を表示するディスプレイ１７と、各部を制御するシステムコントローラ１８と、システムコントローラ１８の制御下、省電力制御方法を選択する省電力制御選択部１９と、図示しないリモートコントローラ（リモコン）のボタンまたはテレビジョン受像機１が備える図示しないボタンが操作されたことを検出し、検出信号をシステムコントローラ１８に供給する操作検出部２０と、所定のタイミングでリセットされるとともに、カウントアップされるカウント値を保持し、システムコントローラ１８に供給するカウンタ２１と、Ａ／Ｖ出力制御部１５より出力された映像音声信号を検出し、映像音声信号を検出したとき、後述する静止画検出部２３に供給するＡＶ信号検出部２２と、ＡＶ信号検出部２２より供給されたＡＶ信号に基づいて映像信号に対応する映像が静止画であるか否かを検出する静止画検出部２３と、外部接続機器１００を接続するための映像端子２４および音声端子２５と、映像端子２４を介して外部接続機器１００から供給された映像信号を入力するとともに、音声端子２５を介して外部接続機器１００から供給された音声信号を入力し、Ａ／Ｖ出力制御部１５に供給する映像音声外部入力部２６と、システムコントローラ１８の制御下、各部に電力を供給する電源部２７と、電源オフ時に電源オフされた原因に応じた方法で点灯または点滅するＬＥＤ（Light Emitting Diode）２８等から構成されている。
【０００７】
図２は、システムコントローラ１８が省電力制御方法を選択する手順を示すフローチャートである。まず、ステップＳ１において、現在の出力が判別される。即ち、Ａ／Ｖ出力制御部１５よりシステムコントローラ１８に供給される出力映像種別データに基づいて、システムコントローラ１８は、いまＡ／Ｖ出力制御部１５がディスプレイ１７に出力している映像信号が、アンテナ１１によって受信されたものか、映像端子２４を介して外部接続機器１００から供給されたものかが判別される。即ち、Ａ／Ｖ出力制御部１５は、Ａ／Ｖデコーダ１４より供給された映像データに対応する映像信号をディスプレイ１７に出力しているのか、或いは、映像音声外部入力部２６より供給された外部接続機器１００からの映像信号をディスプレイ１７に出力しているのかを示す出力映像種別データをシステムコントローラ１８に供給するようになっている。
【０００８】
次に、ステップＳ２において、システムコントローラ１８により、Ａ／Ｖ出力制御部１５から出力される映像信号に対応する映像が、以前出力されていた映像信号に対応する映像と異なるか否かが判定される。この結果、Ａ／Ｖ出力制御部１５から出力される映像信号に対応する映像が、以前出力されていた映像信号に対応する映像と一致すると判定された場合、本処理を終了する。一方、Ａ／Ｖ出力制御部１５から出力される映像信号に対応する映像が、以前出力されていた映像信号に対応する映像と異なると判定された場合、ステップＳ３に進む。
【０００９】
ステップＳ３においては、システムコントローラ１８の制御により、カウンタ２１のカウント値がリセットされ（値０がセットされ）、省電力制御が停止される。
【００１０】
次に、ステップＳ４において、Ａ／Ｖ出力制御部１５が、ＰＣ（パーソナルコンピュータ）等の外部接続機器１００から映像端子２４を介して入力された映像信号をディスプレイ１７に出力しているか否かが判定される。
【００１１】
その結果、Ａ／Ｖ出力制御部１５が、ＰＣ（パーソナルコンピュータ）等の外部接続機器１００から映像端子２４を介して入力された映像信号をディスプレイ１７に出力していると判定された場合、ステップＳ５に進む。一方、Ａ／Ｖ出力制御部１５が、ＰＣ（パーソナルコンピュータ）等の外部接続機器１００から映像端子２４を介して入力された映像信号をディスプレイ１７に出力していないと判定された場合、ステップＳ６に進む。
【００１２】
ステップＳ５においては、システムコントローラ１８により図３を参照して後述する無変化オフ制御が実行される。一方、ステップＳ６においては、図４を参照して後述する無操作オフ制御が実行される。ステップＳ５またはステップＳ６の処理が実行された後、ステップＳ７に進む。ステップＳ７においては、システムコントローラ１８により図５を参照して後述する無信号オフ制御が実行される。
【００１３】
次に、ステップＳ８において、静止画検出部２３は、以前の出力として現在の出力を記憶する。即ち、ＡＶ信号検出部２２を介して供給された、現在、Ａ／Ｖ出力制御部１５がディスプレイ１７に出力している映像信号と同一の映像信号に対応する映像データを図示しないメモリに記憶させる。その後、ステップＳ２に戻り、ステップＳ２以降の処理が繰り返し実行される。ステップＳ２においては、ステップＳ８においてメモリに記憶された映像データが以前の出力とされ、現在の出力と比較される。
【００１４】
図３は、図２のステップＳ５における無変化オフ制御の手順を示すフローチャートである。まず、ステップ１１において、システムコントローラ１８は、カウンタ２１のカウント値をリセットする（カウント値を０にする）。次に、ステップＳ１２において、静止画検出部２３により、ディスプレイ１７に表示されている映像が静止画であるか否かが判定される。
【００１５】
その結果、ディスプレイ１７に表示されている映像が静止画ではないと判定された場合、ステップＳ１１に戻り、ステップＳ１１以降の処理が繰り返し実行される。一方、ディスプレイ１７に表示されている映像が静止画であると判定された場合、ステップＳ１３に進む。
【００１６】
ステップＳ１３においては、システムコントローラ１８の制御下、カウンタ２１のカウント値がカウントアップされる（１だけ増加される）。次に、ステップＳ１４において、システムコントローラ１８により、カウンタ２１のカウント値が予め設定された所定の閾値以上であるか否かが判定される。
【００１７】
判定の結果、カウンタ２１のカウント値が所定の閾値以上ではない（所定の閾値未満である）と判定された場合、ステップＳ１２に戻り、ステップＳ１２以降の処理が繰り返し実行される。一方、カウンタ２１のカウント値が所定の閾値以上であると判定された場合（一定時間、連続して静止画が表示されたと判定された場合）、ステップＳ１５に進む。
【００１８】
ステップＳ１５においては、ディスプレイ１７に多画面表示されているか否かが判定される。即ち、ディスプレイ１７の画面が仮想的に複数の小画面に分割され、各小画面に異なる映像が表示されているか否かが判定される。その結果、ディスプレイ１７に多画面表示されていない（１画面表示されている）と判定された場合、ステップＳ１６に進み、システムコントローラ１８により電源部２７が制御され、電源部２７から各部への電源供給が停止される。
【００１９】
一方、ディスプレイ１７に多画面表示されていると判定された場合、ステップＳ１７に進み、システムコントローラ１８は、静止画検出部２３によって静止画が表示されていると判定された画面の映像表示をオフさせる。即ち、その画面には映像を表示しないように制御する。ステップＳ１６またはステップＳ１７の処理が終了すると、本処理を終了する。
【００２０】
図４は、図２のステップＳ６における無操作オフ制御の手順を示すフローチャートである。まず、ステップ２１において、システムコントローラ１８は、カウンタ２１のカウント値をリセットする（カウント値を０にする）。次に、ステップＳ２２において、システムコントローラ１８により、無操作であるか否かが判定される。即ち、操作検出部２０によって、図示しないリモコンまたはテレビジョン受像機１本体に設けられている操作部が操作されたことが検出されたか否かが判定される。
【００２１】
その結果、図示しないリモコンまたはテレビジョン受像機１本体に設けられている操作部が操作されたことが検出された（無操作ではない）と判定された場合、ステップＳ２１に戻り、ステップＳ２１以降の処理が繰り返し実行される。一方、図示しないリモコンまたはテレビジョン受像機１本体に設けられている操作部が操作されたことが検出されていない（無操作である）と判定された場合、ステップＳ２３に進む。
【００２２】
ステップＳ２３においては、システムコントローラ１８の制御下、カウンタ２１のカウント値がカウントアップされる（１だけ増加される）。次に、ステップＳ２４において、システムコントローラ１８により、カウンタ２１のカウント値が予め設定された所定の閾値以上であるか否かが判定される。
【００２３】
判定の結果、カウンタ２１のカウント値が所定の閾値以上ではない（所定の閾値未満である）と判定された場合、ステップＳ２２に戻り、ステップＳ２２以降の処理が繰り返し実行される。一方、カウンタ２１のカウント値が所定の閾値以上であると判定された場合（一定時間、無操作状態が継続したと判定された場合）、ステップＳ２５に進む。
【００２４】
ステップＳ２５においては、ディスプレイ１７に多画面表示されているか否かが判定される。即ち、ディスプレイ１７の画面が仮想的に複数の小画面に分割され、各小画面に異なる映像が表示されているか否かが判定される。その結果、ディスプレイ１７に多画面表示されていない（１画面表示されている）と判定された場合、ステップＳ２６に進み、システムコントローラ１８により電源部２７が制御され、電源部２７から各部への電源供給が停止される。
【００２５】
一方、ディスプレイ１７に多画面表示されていると判定された場合、ステップＳ２７に進み、システムコントローラ１８は、操作検出部２０によって操作の対象となっている画面に表示されている映像の表示をオフする。即ち、操作対象となっている画面には映像を表示しないように制御する。ステップＳ２６またはステップＳ２７の処理が終了すると、本処理を終了する。
【００２６】
図５は、図２のステップＳ７における無信号オフ制御の手順を示すフローチャートである。まず、ステップ３１において、システムコントローラ１８は、カウンタ２１のカウント値をリセットする（カウント値を０にする）。次に、ステップＳ３２において、システムコントローラ１８により、無信号であるか否かが判定される。即ち、ＡＶ信号検出部２２によって、Ａ／Ｖ出力制御部１５から映像音声信号が供給されてきたことが検出されたか否かが判定される。
【００２７】
その結果、ＡＶ信号検出部２２によって、Ａ／Ｖ出力制御部１５から映像音声信号が供給されてきたことが検出された（無信号ではない）と判定された場合、ステップＳ３１に戻り、ステップＳ３１以降の処理が繰り返し実行される。一方、ＡＶ信号検出部２２によって、Ａ／Ｖ出力制御部１５から映像音声信号が供給されてきたことが検出されていない（無信号である）と判定された場合、ステップＳ３３に進む。
【００２８】
ステップＳ３３においては、システムコントローラ１８の制御下、カウンタ２１のカウント値がカウントアップされる（１だけ増加される）。次に、ステップＳ３４において、システムコントローラ１８により、カウンタ２１のカウント値が予め設定された所定の閾値以上であるか否かが判定される。
【００２９】
判定の結果、カウンタ２１のカウント値が所定の閾値以上ではない（所定の閾値未満である）と判定された場合、ステップＳ３２に戻り、ステップＳ３２以降の処理が繰り返し実行される。一方、カウンタ２１のカウント値が所定の閾値以上であると判定された場合（一定時間、無信号の状態が継続したと判定された場合）、ステップＳ３５に進む。
【００３０】
ステップＳ３５においては、ディスプレイ１７に多画面表示されているか否かが判定される。即ち、ディスプレイ１７の画面が仮想的に複数の小画面に分割され、各小画面に異なる映像が表示されているか否かが判定される。その結果、ディスプレイ１７に多画面表示されていない（１画面表示されている）と判定された場合、ステップＳ３６に進み、システムコントローラ１８により電源部２７が制御され、電源部２７から各部への電源供給が停止される。
【００３１】
一方、ディスプレイ１７に多画面表示されていると判定された場合、ステップＳ３７に進み、システムコントローラ１８は、ＡＶ信号検出部２２によって、Ａ／Ｖ出力制御部１５から映像音声信号が供給されてきたことが検出されていない無信号状態にある画面に対する映像の表示をオフにする。即ち、映像信号がない画面には以後映像を表示しないように制御する。ステップＳ３６またはステップＳ３７の処理が終了すると、本処理を終了する。
【００３２】
図６は、ディスプレイ１７に１画面表示されている場合において、電源オフ前に表示される警告メッセージの例を示している。図６（ａ）は、無信号オフ時にディスプレイ１７に表示される警告メッセージの例を示している。即ち、図５のステップＳ３６において、ディスプレイ１７の画面に警告メッセージ「信号がありません  ○○秒後に電源オフします」が表示される。その後、電源がオフされる。
【００３３】
図６（ｂ）は、無操作オフ時にディスプレイ１７に表示される警告メッセージの例を示している。即ち、図４のステップＳ２６において、ディスプレイ１７の画面に警告メッセージ「ＴＶが操作されていません  ○○秒後に電源オフします」が表示される。その後、電源がオフされる。
【００３４】
図６（ｃ）は、無変化オフ時にディスプレイ１７に表示される警告メッセージの例を示している。即ち、図３のステップＳ１６において、ディスプレイ１７の画面に警告メッセージ「モニタ映像が静止しています  ○○秒後に電源オフします」が表示される。その後、電源がオフされる。
【００３５】
図７は、ディスプレイ１７に多画面表示されている場合において、電源オフ前に操作対象となっている画面に表示される警告メッセージの例を示している。図７において、マーク「♪」が上方に表示されている画面は、現在操作対象となっている画面を示している。図７（ａ）は、無信号オフ時にディスプレイ１７に表示される警告メッセージの例を示している。即ち、図５のステップＳ３７において、ディスプレイ１７の右側の小画面に警告メッセージ「信号がありません  ○○秒後に電源オフします」が表示される。その後、警告メッセージが表示された画面の映像表示が停止される。
【００３６】
図７（ｂ）は、無操作オフ時にディスプレイ１７に表示される警告メッセージの例を示している。即ち、図４のステップＳ２７において、ディスプレイ１７の左側の画面（現在操作対象となっている画面（画面上方にマーク「♪」が表示されている））に警告メッセージ「ＴＶが操作されていません  ○○秒後に電源オフします」が表示される。その後、警告メッセージが表示された画面の映像表示が停止される。この場合、操作対象となっている小画面と、警告メッセージが表示される小画面とが一致している。
【００３７】
図７（ｃ）は、無変化オフ時にディスプレイ１７に表示される警告メッセージの例を示している。即ち、図３のステップＳ１７において、ディスプレイ１７の右側の画面に警告メッセージ「モニタ映像が静止しています  ○○秒後に電源オフします」が表示される。その後、警告メッセージが表示された画面の映像表示が停止される。
【００３８】
図８は、電源オフ後に、テレビジョン受像機１の前面に設けられたＬＥＤ２８が、電源オフの原因に応じた所定の色で点灯または点滅し、電源がオフされた原因をユーザに通知する方法を示す図である。
【００３９】
図８（ａ）は、無信号オフ後にＬＥＤ２８が赤色で点灯している状態を示している。図８（ｂ）は、無操作オフ後にＬＥＤ２８が緑色で点灯している状態を示している。図８（ｃ）は、無変化オフ後にＬＥＤ２８が青色で点灯している状態を示している。このように、電源がオフされた原因に応じてＬＥＤ２８の点灯色を変化させることにより、電源がオフされた原因を容易に知ることができる。また、電源がオフされた原因に応じてＬＥＤ２８の点滅の仕方を変化させることもできる。
【００４０】
以上説明したように、本実施の形態では、受信したテレビジョン放送をディスプレイ１７に表示している場合には、無操作オフ制御と無信号オフ制御が行われ、パーソナルコンピュータ等のモニタとしてディスプレイ１７を使用している場合には、無変化オフ制御と無信号オフ制御が行われる。従って、放送番組を視聴している場合には映像が変化しないときでも自動的に電源がオフされることがない。また、パーソナルコンピュータのモニタとして使用している場合には、ユーザが長時間パーソナルコンピュータを操作しているが、テレビジョン受像機１を操作していないときでも、自動的に電源がオフされることがない。このように、使用状況に応じてより柔軟でかつ的確なタイミングで電力消費を抑えることができ、省電力化を支援することができる。
【００４１】
なお、上記実施の形態の構成及び動作は例であって、本発明の趣旨を逸脱しない範囲で適宜変更することができることは言うまでもない。
【産業上の利用可能性】
【００４２】
本発明は、例えば、テレビジョン受像機だけでなく、様々な表示装置に適用することができる。
【図面の簡単な説明】
【００４３】
【図１】本発明のテレビジョン受像機の構成例を示すブロック図である。
【図２】省電力制御方法を選択する手順を示すフローチャートである。
【図３】無変化オフ制御の手順を示すフローチャートである。
【図４】無操作オフ制御の手順を示すフローチャートである。
【図５】無信号オフ制御の手順を示すフローチャートである。
【図６】ディスプレイに１画面表示されている場合において、電源オフ前に表示される警告メッセージの例を示す図である。
【図７】ディスプレイに多画面表示されている場合において、電源オフ前に操作対象となっている画面に表示される警告メッセージの例を示す図である。
【図８】電源オフ後にＬＥＤが電源オフの原因に応じた方法で点灯または点滅する様子を示す図である。
【符号の説明】
【００４４】
１  テレビジョン受像機
１１  アンテナ
１２  チューナ（Tuner）および復調部
１３  デマルチプレクサ（TS-Demux）
１４  Ａ／Ｖデコーダ
１５  Ａ／Ｖ出力制御部
１６  スピーカ
１７  ディスプレイ
１８  システムコントローラ
１９  省電力制御選択部
２０  操作検出部
２１  カウンタ
２２  ＡＶ信号検出部
２３  静止画検出部
２４，２５  端子
２６  映像音声外部入力部
２７  電源部
２８  ＬＥＤ
１００  外部接続機器
【図１】
2008300918.tif 000003
【図２】
2008300918.tif 000004
【図３】
2008300918.tif 000005
【図４】
2008300918.tif 000006
【図５】
2008300918.tif 000007
【図６】
2008300918.tif 000008
【図７】
2008300918.tif 000009
【図８】
2008300918.tif 000010